(57)【特許請求の範囲】
【請求項１】
局部発振器と周波数変換器と出力増幅器とをそれぞれ少なくとも含む現用，予備の送信ユニットを常時動作状態とし、現用側の送信出力信号をアンテナから送信するホットスタンバイ切替送信装置に於いて、
前記現用，予備の送信ユニットを前記アンテナに切替接続する送信切替器と、
該送信切替器を制御すると共に、前記送信ユニットの少なくとも出力増幅器の電源電圧を、現用側は高く、予備側は低くなるように切替える制御回路とを備え、
該制御回路は、前記出力増幅器の出力レベルの検出信号に従って該出力レベルを一定化するように前記出力増幅器を制御する出力制御部と、前記出力増幅器の出力レベルを検出する第１のレベル検出部と、該第１のレベル検出部による検出信号に比較して高いレベルの検出信号を出力する第２のレベル検出部と、前記第１のレベル検出部を現用時に選択し、前記第２のレベル検出部を予備時に選択して、前記出力制御部に接続する切替部とを備えた
ことを特徴とするホットスタンバイ切替送信装置。
【請求項２】
局部発振器と周波数変換器と出力増幅器とをそれぞれ少なくとも含む現用，予備の送信ユニットを常時動作状態とし、現用側の送信出力信号をアンテナから送信するホットスタンバイ切替送信装置に於いて、
前記現用，予備の送信ユニットを前記アンテナに切替接続する送信切替器と、
前記出力増幅器に接続した送信周波数を通過帯域とする帯域通過フィルタと、
前記送信切替器を制御すると共に、予備側の送信ユニットの局部発振器の発振周波数を制御して前記帯域通過フィルタの通過帯域外とする制御回路とを備え、
該制御回路は、前記出力増幅器の出力レベルの検出信号に従って該出力レベルを一定化するように前記出力増幅器を制御する出力制御部と、前記出力増幅器の出力レベルを検出する第１のレベル検出部と、該第１のレベル検出部による検出信号に比較して高いレベルの検出信号を出力する第２のレベル検出部と、前記第１のレベル検出部を現用時に選択し、前記第２のレベル検出部を予備時に選択して、前記出力制御部に接続する切替部とを備えた
ことを特徴とするホットスタンバイ切替送信装置。
【請求項３】
局部発振器と周波数変換器と出力増幅器とをそれぞれ少なくとも含む現用，予備の送信ユニットを常時動作状態とし、現用側の送信出力信号をアンテナから送信するホットスタンバイ切替送信装置に於いて、
前記現用，予備の送信ユニットを前記アンテナに接続する結合回路と、
前記出力増幅器に接続した送信周波数を通過帯域とする帯域通過フィルタと、
予備側の送信ユニットの局部発振器の発振周波数を制御して前記帯域通過フィルタの通過帯域外とする制御回路とを備え、
該制御回路は、前記出力増幅器の出力レベルの検出信号に従って該出力レベルを一定化するように前記出力増幅器を制御する出力制御部と、前記出力増幅器の出力レベルを検出する第１のレベル検出部と、該第１のレベル検出部による検出信号に比較して高いレベルの検出信号を出力する第２のレベル検出部と、前記第１のレベル検出部を現用時に選択し、前記第２のレベル検出部を予備時に選択して、前記出力制御部に接続する切替部とを備えた
ことを特徴とするホットスタンバイ切替送信装置。
【請求項４】
局部発振器と周波数変換器と出力増幅器とをそれぞれ少なくとも含む現用，予備の送信ユニットを常時動作状態とし、現用側の送信出力信号をアンテナから送信するホットスタンバイ切替送信装置に於いて、
前記現用，予備の送信ユニットを前記アンテナに接続する結合回路と、
前記出力増幅器に接続した送信周波数を通過帯域とする帯域通過フィルタと、
前記送信ユニットの少なくとも出力増幅器の電源電圧を、現用側は高く、予備側は低くなるように切替えると共に、予備側の送信ユニットの局部発振器の発振周波数を制御して前記帯域通過フィルタの通過帯域外とする制御回路とを備え、
該制御回路は、前記出力増幅器の出力レベルの検出信号に従って該出力レベルを一定化するように前記出力増幅器を制御する出力制御部と、前記出力増幅器の出力レベルを検出する第１のレベル検出部と、該第１のレベル検出部による検出信号に比較して高いレベルの検出信号を出力する第２のレベル検出部と、前記第１のレベル検出部を現用時に選択し、前記第２のレベル検出部を予備時に選択して、前記出力制御部に接続する切替部とを備えた
ことを特徴とするホットスタンバイ切替送信装置。
【発明の詳細な説明】
【０００１】
【発明の属する技術分野】
本発明は、送信ユニットを常時動作状態として切替えるホットスタンバイ切替送信装置に関する。
マイクロ波多重無線送信装置に於いては、現用，予備の切替えを、ホットスタンバイ切替方式により行う構成が採用されている。即ち、同一構成の送信ユニットを常時動作状態とし、送信切替器を介してアンテナに接続した送信ユニットを現用側とし、他方の送信ユニットを予備側とし、現用側の送信ユニットに障害が発生した場合、送信切替器によりアンテナを予備側の送信ユニットに切替えることにより、通信を継続することができる。このようなホットスタンバイ切替送信装置の経済化を図ることが要望されている。
【０００２】
【従来の技術】
図７は従来例のホットスタンバイ切替送信装置の説明図であり、７１，７２は送信ユニット、７３は制御回路、７４はアンテナ、７５は送信切替器、７６ａ，７６ｂは中間周波増幅器、７７ａ，７７ｂは局部発振器、７８ａ，７８ｂは周波数変換器、７９ａ，７９ｂは出力増幅器、８０ａ，８０ｂはサーキュレータである。
【０００３】
送信ユニット７１，７２は同一の構成を有し、常時動作状態としており、例えば、制御回路７３により送信切替器７５を制御して、送信ユニット７１をアンテナ７４に接続すると、この送信ユニット７１は現用側となり、周波数変換器７８ａにより中間周波増幅器７６ａからの中間周波信号と局部発振器７７ａからの局部発振信号とを混合して、送信周波数の信号に変換し、出力増幅器７９ａにより増幅し、無反射終端抵抗を接続したサーキュレータ８０ａと送信切替器７５とを介してアンテナ７４に加えることにより送信する。又他方の送信ユニット７２は予備側となる。
【０００４】
図８は従来例の送信切替器の説明図であり、図７と同一符号は同一部分を示し、Ｄ１〜Ｄｎ，Ｄ１’〜Ｄｎ’はスイッチングダイオード、Ｃ１〜Ｃ６はコンデンサ、Ｌ１，Ｌ２はコイルである。
【０００５】
制御回路７３からスイッチングダイオードＤ１〜Ｄｎをオフとし、スイッチングダイオードＤ１’〜Ｄｎをオンする極性の切替制御信号を加えると、送信ユニット７１とアンテナ７４とを接続し、送信ユニット７２をアンテナ７４から切り離した状態となり、送信ユニット７１は現用側、送信ユニット７２は予備側となる。又反対に、制御回路７３からスイッチングダイオードＤ１〜Ｄｎをオンとし、スイッチングダイオードＤ１’〜Ｄｎをオフする極性の切替制御信号を加えると、送信ユニット７２とアンテナ７４とを接続し、送信ユニット７２をアンテナ７４から切り離した状態となり、送信ユニット７１は予備側、送信ユニット７２は現用側となる。
【０００６】
【発明が解決しようとする課題】
ホットスタンバイ切替送信装置に於いては、アンテナ７４に加えられる現用側送信ユニットの出力レベルＰ1 と、予備側送信ユニットの出力レベルＰ2 との差が４０ｄＢ以上となることが要望されている。従って、送信切替器７５に於いては、図８に示すように、複数のスイッチングダイオードを並列に接続する構成を採用しなければならない。その為に、送信切替器７５が大型化すると共に高価となる問題がある。
本発明は、ホットスタンバイ切替構成の経済化を図ることを目的とする。
【０００７】
【課題を解決するための手段】
本発明のホットスタンバイ切替送信装置は、（１）局部発振器７ａ，７ｂと、周波数変換器８ａ，８ｂと、出力増幅器９ａ，９ｂとをそれぞれ少なくとも含む現用，予備の送信ユニット１，２を常時動作状態とし、現用側の送信出力信号をアンテナ４から送信するホットスタンバイ切替送信装置に於いて、現用，予備の送信ユニット１，２をアンテナ４に切替接続する送信切替器５と、この送信切替器５を制御すると共に、送信ユニット１，２の少なくとも出力増幅器９ａ，９ｂの電源電圧を、現用側は高く、予備側は低くなるように切替えて、予備側の送信出力レベルを低減し、現用側は高く、予備側は低くなるように切替えて、予備側の送信出力レベルを低減し、現用側の送信出力レベルとの差を大きくする制御回路３とを備え、この制御回路３は、出力増幅器の出力レベルの検出信号に従って、その出力レベルを一定化するように、出力増幅器を制御する出力制御部と、この出力増幅器の出力レベルを検出する第１のレベル検出部と、該第１のレベル検出部による検出信号に比較して高いレベルの検出信号を出力する第２のレベル検出部と、第１のレベル検出部を現用時に選択し、第２のレベル検出部を予備時に選択して、出力制御部に接続する切替部とを含む構成を備えている。
【０００８】
又（２）局部発振器７ａ，７ｂと、周波数変換器８ａ，８ｂと、出力増幅器９ａ，９ｂとをそれぞれ少なくとも含む現用，予備の送信ユニット１，２を常時動作状態とし、現用側の送信出力信号をアンテナ４から送信するホットスタンバイ切替送信装置に於いて、現用，予備の送信ユニット１，２をアンテナ４に切替接続する送信切替器５と、出力増幅器に接続した送信周波数を通過帯域とする帯域通過フィルタと、送信切替器５を制御すると共に、予備側の送信ユニットの局部発振器の発振周波数を制御して帯域通過フィルタの通過帯域外とし、予備側の送信出力レベルを低減し、現用側の送信出力レベルとの差を大きくする制御回路とを備えている。
【０００９】
又（３）局部発振器７ａ，７ｂと、周波数変換器８ａ，８ｂと、出力増幅器９ａ，９ｂとをそれぞれ少なくとも含む現用，予備の送信ユニット１，２を常時動作状態とし、現用側の送信出力信号をアンテナ４から送信するホットスタンバイ切替送信装置に於いて、現用，予備の送信ユニット１，２をアンテナ４に接続する結合回路と、出力増幅器に接続した送信周波数を通過帯域とする帯域通過フィルタと、予備側の送信ユニットの局部発振器の発振周波数を制御して帯域通過フィルタの通過帯域外とし、予備側の送信出力レベルを低減し、現用側の送信出力レベルとの差を大きくする制御回路とを備えている。
【００１０】
又（４）局部発振器７ａ，７ｂと、周波数変換器８ａ，８ｂと、出力増幅器９ａ，９ｂとをそれぞれ少なくとも含む現用，予備の送信ユニット１，２を常時動作状態とし、現用側の送信出力信号をアンテナ４から送信するホットスタンバイ切替送信装置に於いて、現用，予備の送信ユニット１，２をアンテナ４に接続する結合回路と、出力増幅器に接続した送信周波数を通過帯域とする帯域通過フィルタと、送信ユニットの少なくとも出力増幅器の電源電圧を、現用側は高く、予備側は低くなるように切替えると共に、予備側の送信ユニットの局部発振器の発振周波数を制御して、帯域通過フィルタの通過帯域外とする制御回路とを備えている。
【００１１】
又（５）制御回路は、出力増幅器の出力レベルの検出信号に従って、この出力レベルを一定化するように出力増幅器を制御する出力制御部と、出力増幅器の出力レベルを検出する第１のレベル検出部と、この第１のレベル検出部による検出信号に比較して高いレベルの検出信号を出力する第２のレベル検出部と、第１のレベル検出部を現用時に選択し、第２のレベル検出部を予備時に選択して、出力制御部に接続する切替部とを備えることができる。
【００１２】
【発明の実施の形態】
図１は本発明の第１の実施の形態の説明図であり、１，２は送信ユニット、３は制御回路、４はアンテナ、５は送信切替器、６ａ，６ｂは中間周波増幅器、７ａ，７ｂは局部発振器、８ａ，８ｂは周波数変換器、９ａ，９ｂは出力増幅器、１０ａ，１０ｂはサーキュレータである。
【００１３】
送信ユニット１，２は、中間周波増幅器６ａ，６ｂと、局部発振器７ａ，７ｂと、周波数変換器８ａ，８ｂと、出力増幅器９ａ，９ｂとを含む同一構成を有するものであり、常時動作状態となっており、アンテナ４に対して送信切替器５により現用側の送信ユニットが接続される。又この実施の形態に於いては、出力増幅器９ａ，９ｂ又は中間周波増幅器６ａ，６ｂを含めて、電源電圧を制御回路３からの制御により切替える構成を備えている。
【００１４】
制御回路３は、送信切替器５を制御して、例えば、送信ユニット１をアンテナ４に接続して現用側とすると、この現用側の送信ユニット１の出力増幅器９ａの電源電圧は通常の電圧とするものであるが、予備側の送信ユニット２の出力増幅器９ｂの電源電圧を低電圧に切替える。この時、点線の経路で示すように、中間周波増幅器６ｂの電源電圧も低電圧に切替えることができる。
【００１５】
予備側の送信ユニット２の少なくとも出力増幅器９ｂの電源電圧を低電圧に切替えることにより、その出力レベルが低減する。従って、送信切替器５に加えられる現用側の送信ユニット１の出力レベルに比較して、予備側の送信ユニット２の出力レベルは小さくなり、送信切替器５に於けるスイッチングダイオードは、送信ユニット１，２対応にそれぞれ１個でも充分に現用，予備の切替えが可能となる。
【００１６】
図２は本発明の第１の実施の形態の要部回路図であり、現用側と予備側と同一構成の送信ユニットを備えているものであり、その一方の送信ユニットについて示し、３は制御回路、４はアンテナ、２１は方向性結合器、２２は電源電圧切替用のトランジスタ、２３は電界効果トランジスタ（ＦＥＴ）、２４は結合用のコンデンサ、Ｄ1 〜Ｄ3 はダイオード、Ｒ1 ，Ｒ2 は抵抗、−Ｖ，＋Ｖ1 ，＋Ｖ2 は電源電圧である。この時、＋Ｖ1 ＞＋Ｖ2 の関係に設定され、又Ｒ1 ＞Ｒ2 の関係に設定されている。なお、アンテナ４との間の送信切替器とサーキュレータとは図示を省略している。
【００１７】
又送信ユニットは、直列増幅段を構成する複数の電界効果トランジスタ２３と、結合用のコンデンサ２４と、方向性結合器２１とを少なくとも含む構成を有するものであり、この電界効果トランジスタ２３による増幅段に対して、電源電圧を切替える為に、ダイオードＤ3 とトランジスタ２２とを接続し、制御回路３からの制御信号ｃｏｎｔをトランジスタ２２のベースに加えることにより、トランジスタ２２をオンとすると、Ｖ1 ＞Ｖ2 の関係があるから、電源電圧＋Ｖ1 が各電界効果トランジスタ２３に印加される。又トランジスタ２２をオフとすると、ダイオードＤ3 を介して電源電圧＋Ｖ2 が印加される。
【００１８】
従って、トランジスタ２２とダイオードＤ3 とにより電源電圧の切替手段を構成しており、現用側の送信ユニットに於いては、トランジスタ２２をオンとして電源電圧＋Ｖ1 を印加し、予備側の送信ユニットに対しては、トランジスタ２２をオフとして、現用側の電源電圧＋Ｖ1 より低い電源電圧＋Ｖ2 を印加する。
【００１９】
電界効果トランジスタのドレイン電圧対ゲインの特性は、下方に示すように、ドレイン電圧の上昇に従ってゲインが増加し、或る電圧以上ではゲインは飽和状態となる。即ち、ドレイン電圧を変化させることにより、ゲインを変化させることができる。従って、予備側の送信ユニットに於いては、電源電圧を＋Ｖ1 からそれより低い＋Ｖ2 に切替えることにより、電界効果トランジスタ２３のゲインが小さくなる。
【００２０】
又増幅出力レベルを検出して、その出力レベルが一定化されるように、フィードバック制御を行う自動出力レベル制御回路を適用する場合が一般的である。従って、このようなフィードバック制御を行う構成に於いては、予備側の送信ユニットの電源電圧を低電圧として出力レベルを低減しても、自動出力レベル制御回路によって出力レベルを元に戻すように制御され、送信切替器に入力される現用側と予備側との出力レベル差を大きくすることができないことになる。
【００２１】
そこで、抵抗Ｒ1 とダイオードＤ1 とからなる第１の検出部を現用時の検出部とし、抵抗Ｒ2 とダイオードＤ2 とからなる第２の検出部を予備時の検出部とするものである。即ち、予備時に電源電圧を低下して出力レベルを低下させた時に、現用時の検出信号レベルと同一の検出信号レベルとなるように、Ｒ1 ＞Ｒ2 の関係に設定することにより、予備側の送信ユニットの出力レベルを低くした状態を維持することができる。
【００２２】
図３は本発明の第１の実施の形態の制御回路の要部説明図であり、３は制御回路、７は局部発振器、８は周波数変換器、９は出力増幅器、１０はサーキュレータ、２１は方向性結合器、２３は電界効果トランジスタからなる増幅段、３１は第１の検出部、３２は第２の検出部、３３は切替部、３４は出力制御部、３５は切替制御部、Ｒ1 ，Ｒ2 は抵抗、Ｄ1 ，Ｄ2 はダイオードである。
【００２３】
制御回路３の切替制御部３５は、送信切替器５（図１参照）と、切替部３３と、出力増幅器９の電源電圧との切替制御を行うものであり、又出力制御部３４は、方向性結合器２１を介して一部分岐した出力信号のレベルを検出して、電界効果トランジスタからなる増幅段を制御する自動出力レベル制御回路を構成している。
【００２４】
現用側の送信ユニットに対しては、切替制御部３５により、出力増幅器９と図示を省略したアンテナとを、サーキュレータ１０と図示を省略した送信切替器とを介して接続することになり、又切替部３３により第１の検出部３１を出力制御部３４に切替接続する。従って、出力制御部３４は、第１の検出部３１のダイオードＤ1 により検波した送信出力の検出信号のレベルを基準値と比較し、その差分に対応して出力増幅器９のアッテネータ等を制御し、出力増幅器９の出力レベルを一定化する。
【００２５】
又予備側の送信ユニットに対しては、出力増幅器９の出力信号がアンテナに加えられないことになり、その時、切替制御部３５により出力増幅器９の電源電圧を低電圧に切替えて出力レベルを低減し、又切替部３３により第２の検出部３２を出力制御部３４に切替接続する。第２の検出部３２は、Ｒ2 ＜Ｒ1 の関係の抵抗Ｒ2 を有するものであるから、ダイオードＤ2 により検波した検出信号レベルを、現用側の場合と同一とすることができる。従って、出力制御部３４は、出力レベルが低下した状態を維持することになる。
【００２６】
図４は本発明の第２の実施の形態の説明図であり、４０ａ，４０ｂはサーキュレータ、４１，４２は送信ユニット、４３は制御回路、４４はアンテナ、４５は送信切替器、４６ａ，４６ｂは中間周波増幅器、４７ａ，４７ｂは局部発振器、４８ａ，４８ｂは周波数変換器、４９ａ，４９ｂは出力増幅器、５０ａ，５０ｂは帯域通過フィルタである。
【００２７】
中間周波数をｆIF、送信周波数をｆL1＋ｆIFとすると、帯域通過フィルタ５０ａ，５０ｂは、送信周波数ｆL1＋ｆIFを通過帯域とする構成とする。又局部発振器４７ａ，４７ｂは、現用側の送信ユニットに於いてはｆL1の局部発振周波数とし、予備側の送信ユニットに於いては、ｆL2（≠ｆL1）の局部発振周波数に切替える構成を備えている。
【００２８】
制御回路４３は、送信切替器４５を制御すると共に、局部発振器４７ａ，４７ｂの発振周波数を制御して、現用，予備の切替えを行うものであり、又出力増幅器４９ａ，４９ｂの出力レベルを一定化するフィードバック制御を行う構成を備えている。例えば、送信ユニット４１を現用側、送信ユニット４２を予備側とすると、制御回路４３は、送信ユニット４１の出力信号をサーキュレータ４０ａを介してアンテナ４４に加えるように送信切替器４５を制御する。そして、局部発振器４７ａの発振周波数をｆL1とするように制御する。
【００２９】
それにより、周波数変換器４８ａにより変換された送信周波数ｆL1＋ｆIFの送信信号は、出力増幅器４９ａにより増幅され、帯域通過フィルタ５０ａを通過して、サーキュレータ４０ａと送信切替器４５とを介してアンテナ４４に供給されて送信される。
【００３０】
又予備側の送信ユニット４２に於いては、制御回路４３により局部発振器４７ｂの発振周波数がｆL2に制御される。従って、周波数変換器４８ｂにより変換された送信周波数はｆL2＋ｆIFとなり、出力増幅器４９ｂにより増幅されても、帯域通過フィルタ５０ｂの通過帯域ではないことにより、大きく減衰されることになる。従って、送信切替器４５に入力される現用側の送信ユニット４１の出力レベルと、予備側の送信ユニット４２の出力レベルとの差が大きくなり、送信切替器４５を比較的簡単な構成とすることが可能となる。
【００３１】
同様に、送信ユニット４１を予備側とし、送信ユニット４２を現用側として切替える時、予備側の送信ユニット４１の局部発振器４７ａの発振周波数をｆL2とし、現用側の送信ユニット４２の局部発振器４７ｂの発振周波数をｆL1とする。それによって、現用側の送信ユニット４２の送信信号が送信切替器４５を介してアンテナ４４に加えられ、予備側の送信ユニット４１の送信信号は大きく減衰されて送信切替器４５に加えられることになる。
【００３２】
この場合、局部発振器４７ａ，４７ｂの発振周波数を切替えることなく、帯域通過フィルタ５０ａ，５０ｂの通過帯域特性を切替えることも考えられる。しかし、マイクロ波帯やミリ波帯に於ける帯域通過フィルタの通過特性を切替える構成を実現することは、実際上困難である。又異なる通過特性の帯域通過フィルタを設けて切替えることも考えられるが、余分に帯域通過フィルタを設けなければならないことと、切替手段を設けなければならず、大型化すると共にコストアップとなる問題がある。又局部発振器の発振周波数を切替える構成は、比較的簡単であり、既に知られている各種の手段を適用することができる。
【００３３】
図５は本発明の第３の実施の形態の説明図であり、図４と同一符号は同一部分を示し、５１は結合器（ハイブリッド回路）である。局部発振器４７ａ，４７ｂの発振周波数を、帯域通過フィルタ５０ａ，５０ｂの通過帯域ｆL1＋ｆIFを大きく外れるように切替えることができ、又帯域通過フィルタ５０ａ，５０ｂの通過帯域外の減衰量が大きい場合、例えば、送信ユニット４１を現用側、送信ユニット４２を予備側とすると、現用側の送信ユニット４１に於いては、前述の実施の形態と同様に、局部発振器４７ａの発振周波数をｆL1とすることにより、帯域通過フィルタ５０ａの通過帯域の送信信号となるから、サーキュレータ４０ａと結合器５１とを介してアンテナ４４に加えて送信することができる。
【００３４】
又予備側の送信ユニット４２に於いては、前述の実施の形態と同様に、局部発振器４７ｂの発振周波数をｆL2に切替えることにより、送信周波数は帯域通過フィルタ５０ｂの通過帯域から大きく外れ、出力増幅器４９ｂにより増幅された送信信号は大きく減衰されるから、結合器５１に入力される現用側と予備側との出力レベル差を４０ｄＢ以上とすることが可能となる。従って、スイッチングダイオード等による送信切替器の代わりに、比較的構成の簡単な結合器５１を適用して、ホットスタンバイ切替え可能とすることができる。
【００３５】
図６は本発明の第４の実施の形態の説明図であり、６０ａ，６０ｂはサーキュレータ、６１，６２は送信ユニット、６３は制御回路、６４はアンテナ、６５は結合器、６６ａ，６６ｂは中間周波増幅器、６７ａ，６７ｂは局部発振器、６８ａ，６８ｂは周波数変換器、６９ａ，６９ｂは出力増幅器、７０ａ，７０ｂは帯域通過フィルタである。
【００３６】
局部発振器６７ａ，６７ｂは、発振周波数をｆL1とｆL2とに切替える構成を有し、又出力増幅器６９ａ，６９ｂは、電源電圧を＋Ｖ1 と＋Ｖ2 とに切替える構成を有するもので、制御回路６３によって切替制御する。又帯域通過フィルタ７０ａ，７０ｂは、中間周波数をｆIFとすると、ｆIF＋ｆL1の通過帯域を有するものである。
【００３７】
例えば、送信ユニット６１を現用側、送信ユニット６２を予備側とすると、制御回路６３は、現用側の送信ユニット６１の局部発振器６７ａの発振周波数をｆL1に切替え、出力増幅器６９ａの電源電圧を＋Ｖ1 に切替えるように制御する。それにより、周波数変換器６８ａからの送信周波数ｆIF＋ｆL1の信号は、出力増幅器６９ａにより増幅され、帯域通過フィルタ７０ａを通過して、サーキュレータ６０ａと結合器６５とを介してアンテナ６４に加えられて送信される。
【００３８】
予備側の送信ユニット６２に於いては、局部発振器６７ｂの発振周波数をｆL2に切替え、出力増幅器６９ｂの電源電圧を＋Ｖ2 に切替えるように制御回路６３から制御する。それにより、周波数変換器６８ｂからｆIF＋ｆL2の周波数の信号が出力増幅器６９ｂに入力される。この出力増幅器６９ｂは、電源電圧が低電圧に切替えられているから、ゲインが小さく、従って、出力レベルが低くなる。更に、帯域通過フィルタ７０ｂの通過帯域を外れた周波数ｆIF＋ｆL2の信号となるから、この帯域通過フィルタ７０ｂによって大きく減衰される。
【００３９】
従って、結合器６５に入力される現用側の出力レベルに比較して、予備側の出力レベルは非常に低くなり、その差分を４０ｄＢ以上とすることが容易となり、それによって、現用側と予備側とを比較的簡単な構成の結合器６５によりアンテナ６４と接続した構成として、送信ユニット６１，６２のホットスタンバイ切替えが可能となる。
【００４０】
本発明は、前述の各実施の形態にのみ限定されるものではなく、種々付加変更することができるものであり、例えば、出力増幅器の電源電圧の切替え同時に、中間周波増幅器の電源電圧の切替えも行う構成とすることができる。
【００４１】
【発明の効果】
以上説明したように、本発明は、局部発振器７ａ，７ｂと、周波数変換器８ａ，８ｂと、出力増幅器９ａ，９ｂとをそれぞれ少なくとも含む現用，予備の送信ユニット１，２を常時動作状態とし、現用側の送信出力信号をアンテナ４から送信するホットスタンバイ切替送信装置であって、送信ユニット１，２の少なくとも出力増幅器９ａ，９ｂの電源電圧を、現用側は高く、予備側は低くなるように切替えて、予備側の送信出力レベルを低減し、現用側の送信出力レベルとの差を大きくする制御回路３を有することにより、送信切替器５の構成を簡単化して、経済化を図ることができる利点がある。又電源電圧の切替えによりゲインを制御することにより、自動出力レベル制御のアッテネータを制御する場合に比較して高速切替えが可能となる利点がある。
【００４２】
又現用側に対して予備側の局部発振器の発振周波数が異なるように切替え、予備側に於いては帯域通過フィルタの通過帯域外となるようにして、予備側の出力レベルを現用側の出力レベルに比較して低くすることにより、送信切替器の構成を簡単化することができる。更に、この送信切替器の代わりに、構成の簡単な結合器（ハイブリッド回路）を用いることも可能となり、構成の簡単化と共にコストダウンを図ることができる利点がある。
【００４３】
又局部発振器と発振周波数の切替えと、出力増幅器の電源電圧の切替えとを共に適用することにより、アンテナに接続する送信切替器に入力される現用側の出力レベルと予備側の出力レベルとの差を大きくすることができるから、送信切替器の代わりに簡単な構成の結合器（ハイブリッド回路）を用いることができる。それによって、コストダウンを図ることができる利点がある。
【図面の簡単な説明】
【図１】本発明の第１の実施の形態の説明図である。
【図２】本発明の第１の実施の形態の要部回路図である。
【図３】本発明の第１の実施の形態の制御回路の要部説明図である。
【図４】本発明の第２の実施の形態の説明図である。
【図５】本発明の第３の実施の形態の説明図である。
【図６】本発明の第４の実施の形態の説明図である。
【図７】従来例のホットスタンバイ切替送信装置の説明図である。
【図８】従来例の送信切替器の説明図である。
【符号の説明】
１，２  送信ユニット
３  制御回路
４  アンテナ
５  送信切替器
６ａ，６ｂ  中間周波増幅器
７ａ，７ｂ  局部発振器
８ａ，８ｂ  周波数変換器
９ａ，９ｂ  出力増幅器
【図１】
0003757343.tif 000002
【図２】
0003757343.tif 000003
【図３】
0003757343.tif 000004
【図４】
0003757343.tif 000005
【図５】
0003757343.tif 000006
【図６】
0003757343.tif 000007
【図７】
0003757343.tif 000008
【図８】
0003757343.tif 000009